(57)【要約】【課題】見開き状態の媒体のスキャンにおいて、スキャンデータの見易さ向上と、データサイズの抑制を実現する。【解決手段】スキャンエリア１１に見開き状態で置かれた対象媒体５について、スキャナ１は、対象媒体５の見開き位置を取得し、この見開き位置を基準にして、対象媒体５のうち必要な有効エリアを決定する。そして、決定された有効エリアにおけるスキャンデータが、スキャナ１によって取得される。【選択図】図２
2016082314.tif 000002
【特許請求の範囲】
【請求項１】
スキャンエリアに見開き状態で置かれた対象媒体について、見開き位置を取得する見開き位置取得部と、
前記見開き位置取得部によって取得された見開き位置を基準にして、前記対象媒体のうち必要な有効エリアを決定する有効エリア決定部と、
前記有効エリア決定部によって決定された有効エリアにおける前記対象媒体のスキャンデータを取得するデータ取得部とを備える
ことを特徴とするスキャナ。
【請求項２】
請求項１記載のスキャナにおいて、
前記有効エリア決定部は、
製本型媒体のサイズ規格情報を用いて、前記対象媒体の縦サイズおよび横サイズを取得し、
取得した縦サイズおよび横サイズを用いて、前記有効エリアを決定する
ことを特徴とするスキャナ。
【請求項３】
請求項１または２記載のスキャナにおいて、
取得した前記有効エリアにおけるスキャンデータを、前記対象媒体の見開き中央線の位置で２つに分割し、それぞれ保存する記録部を、さらに備える
ことを特徴とするスキャナ。
【請求項４】
請求項１〜３のうちいずれか１項記載のスキャナにおいて、
前記対象媒体の見開き中央線の位置を合わせるための基準指標が設けられている、または、前記基準指標を前記スキャンエリアに表示可能に構成されている
ことを特徴とするスキャナ。
【請求項５】
請求項４記載のスキャナにおいて、
イメージセンサを備えたフラットベッド型のスキャナであり、
前記基準指標が、前記イメージセンサに設けられており、
前記イメージセンサが、見開き中央線を合わせる位置に移動する
ことを特徴とするスキャナ。
【請求項６】
請求項１〜３のうちいずれか１項記載のスキャナにおいて、
前記見開き位置取得部は、前記スキャンエリアにおいて前記対象媒体が占める矩形領域を、画像処理によって検出し、
前記有効エリア決定部は、前記矩形領域の４個の頂点の座標値を用いて、前記対象媒体の縦サイズを推定する
ことを特徴とするスキャナ。
【請求項７】
請求項６記載のスキャナにおいて、
前記有効エリア決定部は、
前記矩形領域の２本の長辺において、凹部を検出し、
前記凹部の位置同士を結ぶ線を、前記対象媒体の見開き中央線として、検出する
ことを特徴とするスキャナ。
【請求項８】
スキャン機能を有する電子機器を用いて、スキャンエリアに見開き状態で置かれた対象媒体のスキャンを行う方法であって、
前記電子機器、または、前記電子機器と通信可能なコンピュータが、
前記対象媒体について、見開き位置を取得し、
取得した前記見開き位置を基準にして、前記対象媒体のうち必要な有効エリアを決定し、
決定した前記有効エリアにおける前記対象媒体のスキャンデータを取得する
ことを特徴とするスキャン方法。
【発明の詳細な説明】
【技術分野】
【０００１】
本発明は、本や雑誌などの媒体について、その記載情報をスキャンによってデジタル化する技術に関する。
【背景技術】
【０００２】
最近、本や雑誌等の媒体について適切にスキャン可能なスキャナのニーズが高まっている。例えば特許文献１には、本や雑誌などの読み取り画像を片面ずつの分断画像とせずに一つの画像として再現できる、読み取り装置の構成が開示されている。
【先行技術文献】
【特許文献】
【０００３】
【特許文献１】特開２０１３−１５７７７５号公報
【発明の概要】
【発明が解決しようとする課題】
【０００４】
製本型媒体に関して、閉じた状態でのサイズ規格は、新書サイズ、文庫サイズなど各種存在する。ところが、見開き状態にした場合には、製本型媒体の綴じ方、紙質、紙の厚みなどの影響によって、見開き方向のサイズが個別に変化する。このため、見開き状態にした製本型媒体のスキャンを行う場合には、見開き方向において若干大きめのサイズを設定する必要がある。この場合、取得されたスキャンデータには多くの無駄な部分が含まれてしまうことになり、これにより、ユーザにとってはスキャンデータが見にくくなるとともに、スキャンデータのデータ量も大きくなってしまう。
【０００５】
本発明は、見開き状態の媒体のスキャンにおいて、スキャンデータの見易さ向上と、データサイズの抑制を実現することを目的とする。
【課題を解決するための手段】
【０００６】
本発明の一態様では、スキャナは、スキャンエリアに見開き状態で置かれた対象媒体について、見開き位置を取得する見開き位置取得部と、前記見開き位置取得部によって取得された見開き位置を基準にして、前記対象媒体のうち必要な有効エリアを決定する有効エリア決定部と、前記有効エリア決定部によって決定された有効エリアにおける前記対象媒体のスキャンデータを取得するデータ取得部とを備える。
【０００７】
この態様によると、スキャンエリアに見開き状態で置かれた対象媒体について、見開き位置取得部が、見開き位置を取得し、有効エリア決定部が、見開き位置を基準にして、対象媒体のうち必要な有効エリアを決定する。そして、データ取得部によって、決定された有効エリアにおける対象媒体のスキャンデータが取得される。これにより、見開き位置を基準にして決定された有効エリアについてスキャンデータが取得されるので、取得したスキャンデータに無駄な部分が含まれず、ユーザにとって見やすいスキャンデータが得られるとともに、スキャンデータのデータサイズを小さく抑えることができる。
【０００８】
そして、上の態様のスキャナにおいて、前記有効エリア決定部は、製本型媒体のサイズ規格情報を用いて、前記対象媒体の縦サイズおよび横サイズを取得し、取得した縦サイズおよび横サイズを用いて、前記有効エリアを決定してもよい。
【０００９】
この構成によると、サイズ規格情報を用いて取得された対象媒体の縦サイズおよび横サイズを用いて、有効エリアが決定されるので、適切な有効エリアを確実に決定することができる。
【００１０】
そして、上の態様のスキャナにおいて、取得した前記有効エリアにおけるスキャンデータを、前記対象媒体の見開き中央線の位置で２つに分割し、それぞれ保存するようにしてもよい。
【００１１】
この構成によると、見開きページの片面ずつのスキャンデータを、一度のスキャン動作で簡易に取得することができる。
【００１２】
また、上の態様のスキャナにおいて、前記対象媒体の見開き中央線の位置を合わせるための基準指標が設けられている、または、前記基準指標を前記スキャンエリアに表示可能に構成されているものとしてもよい。
【００１３】
この構成によると、ユーザは、基準指標を参照して、対象媒体の見開き位置を所定の位置に容易に合わせることができる。
【００１４】
さらに、イメージセンサを備えたフラットベッド型のスキャナであり、前記基準指標が、前記イメージセンサに設けられており、前記イメージセンサが、見開き中央線を合わせる位置に移動するものとしてもよい。
【００１５】
この構成によると、見開き状態の対象媒体のスキャンを行うとき、ユーザは、移動したイメージセンサに設けられた基準指標を参照して、対象媒体の見開き位置を所定の位置に容易に合わせることができる。
【００１６】
また、上の態様のスキャナにおいて、前記見開き位置取得部は、前記スキャンエリアにおいて前記対象媒体が占める矩形領域を、画像処理によって検出し、前記有効エリア決定部は、前記矩形領域の４個の頂点の座標値を用いて、前記対象媒体の縦サイズを推定するものとしてもよい。
【００１７】
この構成により、ユーザが見開き状態の対象媒体をスキャンエリアのどこに置いても、その縦サイズを自動的に推定することができる。
【００１８】
さらに、上の態様のスキャナにおいて、前記有効エリア決定部は、前記矩形領域の２本の長辺において、凹部を検出し、前記凹部の位置同士を結ぶ線を、前記対象媒体の見開き中央線として、検出するようにしてもよい。
【００１９】
この構成により、見開き状態の対象媒体の見開き中央線の位置を、自動的に検出することができる。
【００２０】
本発明の他の態様では、スキャン機能を有する電子機器を用いて、スキャンエリアに見開き状態で置かれた製本型の対象媒体のスキャンを行う方法において、前記電子機器、または、前記電子機器と通信可能なコンピュータが、前記対象媒体について、見開き位置を取得し、取得した前記見開き位置を基準にして、前記対象媒体のうち必要な有効エリアを決定し、決定した前記有効エリアにおける前記対象媒体のスキャンデータを取得する。
【００２１】
この態様によると、スキャン機能を有する電子機器、または、スキャン機能を有する電子機器と接続されたコンピュータが、見開き状態で置かれた対象媒体について、見開き位置を取得し、取得した見開き位置を基準にして、対象媒体のうち必要な有効エリアを決定する。そして、決定した有効エリアにおける対象媒体のスキャンデータを取得する。これにより、見開き位置を基準にして決定された有効エリアについてスキャンデータが取得されるので、取得したスキャンデータに無駄な部分が含まれず、ユーザにとって見やすいスキャンデータが得られるとともに、スキャンデータのデータサイズを小さく抑えることができる。
【発明の効果】
【００２２】
本発明によると、見開き状態の対象媒体について、見開き位置を基準して決定された有効エリアについてスキャンデータが取得されるので、スキャンデータの見易さ向上と、データサイズの抑制を実現することができる。
【図面の簡単な説明】
【００２３】
【図１】第１実施形態に係るスキャナを利用したスキャン動作の概略フロー
【図２】（ａ）〜（ｃ）は第１実施形態におけるスキャン動作の例
【図３】（ａ）〜（ｃ）は第１実施形態に係るスキャン動作の他の例
【図４】第２実施形態に係るスキャナを利用したスキャン動作の概略フロー
【図５】（ａ）〜（ｃ）は第２実施形態におけるスキャン動作の例
【図６】実施形態に係るスキャナの機能ブロック図
【発明を実施するための形態】
【００２４】
以下、本発明の実施の形態について、図面を参照して詳細に説明する。なお、本明細書では、製本型媒体について、背表紙が延びる方向を縦方向とし、見開き方向を横方向とする。そして、閉じた状態の製本型媒体について、縦方向におけるサイズを縦サイズ、横方向におけるサイズを横サイズという。
【００２５】
（第１実施形態）
図１は第１実施形態に係るスキャナを利用したスキャン動作の概略を示すフローチャート、図２は本実施形態におけるスキャン動作の例を示す図である。本実施形態では、図２に示すようなフラットベッド式のスキャナ１を用いて、見開き状態の本５のスキャンを行うものとする。本５は製本型の対象媒体の一例である。本実施形態に係るスキャナ１は、図２（ａ）に示すように、スキャンエリアとなるフラットベッド１１と、データを読み取るためのイメージセンサ１２とを備えている。イメージセンサ１２は、主走査方向（図面上下方向）に延びるように構成されており、スキャン動作を行うときは、フラットベッド１１において副走査方向（図面左右方向）に移動する。スキャン動作を行わないときは、イメージセンサ１２は所定位置としてフラットベッド１１の左端に位置している。また、図示していないが、スキャナ１は、操作ボタンやタッチパネルなどの操作入力手段を有している。
【００２６】
さらに、フラットベッド１１を囲む縁に、本５の見開き中央線を合わせるための基準指標としてのマーキング１３が付されている。なお、図２では、フラットベッド１１の上側の縁にマーキング１３として矢印を付している例を示しているが、マーキング１３の位置や形状はこれに限られるものではない。例えば、フラットベッド１１の下側や左右の縁にマーキング１３が付されていてもかまわないし、マーキング１３は三角印や何らかの文字であってもかまわない。
【００２７】
図１および図２に従って、本実施形態におけるスキャン動作について説明する。まず、ユーザが、本５を見開いた状態で、スキャンするページをフラットベッド面に向けて、フラットベッド１１の上に置く。このとき、図２（ｂ）に示すように、ユーザは、見開き状態の本５の上辺をフラットベッド１１の縁に当て、本５の中央線（例えば背表紙の真ん中の位置）の上端をマーキング１３が示す位置に合わせる（Ｓ１１）。このようにユーザが本５を置くことによって、スキャナ１が後述するようにして設定する有効エリアに、本５の見開きページがちょうど含まれることになる。
【００２８】
本５が見開き状態でフラットベッド１１の上に置かれると、スキャナ１は、本５の縦サイズと横サイズを取得する（Ｓ１２）。例えば、スキャナ１は、新書サイズ、文庫サイズ、というようなサイズ規格を外部から設定入力可能なように構成されているものとする。ユーザが例えば「新書」を設定入力すると、スキャナ１は、新書サイズのサイズ規格情報を用いて、縦サイズとして１８２ｍｍ、横サイズとして１０３ｍｍを取得する。これ以外にも例えば、スキャナ１は、本５の縦サイズの数値を外部から設定入力可能なように構成されていてもよい。ユーザが例えば縦サイズとして１４５ｍｍを設定入力すると、スキャナ１は、各種のサイズ規格情報を参照して「文庫サイズ」と推定し、横サイズとして１０５ｍｍを取得する。
【００２９】
次に、スキャナ１は、ステップＳ１２で取得した本５の縦サイズと横サイズを用いて、本５の見開き中央線の位置を基準にして、本５のうち必要な有効エリアを設定する（Ｓ１３）。ここではスキャナ１は、マーキング１３が示す位置を基準にして、図面下方向において、取得した縦サイズ分の範囲で、かつ、図面左右方向においてそれぞれ、取得した横サイズ分の範囲を、有効エリアとして設定する。いま図２（ｂ）に示すように、見開き状態の本５の上辺がフラットベッド１１の縁に当たり、マーキング１３が示す位置に本５の中央線が合っている。このため、本５の見開きページが、設定された有効エリアにちょうど含まれる。
【００３０】
そして、スキャナ１は、例えばユーザの操作に従って、ステップＳ１３で設定した有効エリアに対してスキャンを実行する（Ｓ１４）。このとき図２（ｃ）に示すように、イメージセンサ１２は、所定位置から有効エリアの左端まで移動し、そこからスキャンを開始する。そして有効エリアの右端までスキャンを行うと、スキャンを終了し、所定位置であるフラットベッド１１の左端にもどる。
【００３１】
その後、スキャナ１は、スキャンデータを取得する（Ｓ１５）。例えば、スキャンして得た元データを、本５の見開き中央線の位置で２つに分割し、左右２ページのスキャンデータとしてそれぞれ保存する。あるいは、スキャンして得た元データを、そのまま１ページのスキャンデータとして取得してもかまわない。
【００３２】
（他の動作例）
図３は本実施形態におけるスキャン動作の他の例を示す図である。図３に示すスキャナ１Ａは、図２に示すスキャナ１と同様に、スキャンエリアとなるフラットベッド１１と、データを読み取るためのイメージセンサ１２Ａとを備えており、また、フラットベッド１１を囲む縁にマーキング１３が付されている。さらに、図３（ｂ）の拡大図に示すように、イメージセンサ１２Ａには、見開き状態の本５の中央線を合わせるための基準指標としての位置合わせライン１４が付されている。また、この位置合わせライン１４には、本５のサイズ規格を判別するための目盛り１５が付されており、図３（ｂ）の例では、文（文庫サイズ）、新（新書サイズ）、Ｂ５といった文字が記されている。なお、これら位置合わせライン１４および目盛り１５は、光学設計上問題のない形状や素材によって形成されている。
【００３３】
さらに、スキャナ１Ａは、外部から見開き本スキャン実行モードに設定可能に構成されており、見開き本スキャン実行モードに設定されたときは、図３に示すように、イメージセンサ１２Ａが、本５の見開き中央線を合わせる位置、ここではフラットベッド１１の中央部に移動させるものとする。
【００３４】
図１および図３に従って、本実施形態におけるスキャン動作の他の例について説明する。まず、ユーザが、スキャナ１Ａを見開き本スキャン実行モードに設定する。このとき、イメージセンサ１２Ａはフラットベッド１１の中央部に移動する。ユーザは、本５を見開いた状態で裏向きにフラットベッド１１の上に置く。そして、見開き状態の本５の上辺をフラットベッド１１の縁に当て、本５の中央線をイメージセンサ１２Ａの位置合わせライン１４に合わせる（Ｓ１１）。
【００３５】
本５が見開き状態でフラットベッド１１の上に置かれると、スキャナ１Ａは、本５の縦サイズと横サイズを取得する（Ｓ１２）。ユーザは、イメージセンサ１２Ａの目盛り１５を参照して、スキャナ１Ａにサイズ規格を設定入力する。スキャナ１Ａは、入力されたサイズ規格の情報を用いて、縦サイズおよび横サイズを取得する。これ以外にも例えば、イメージセンサ１２Ａに、フラットベッド１１上縁からの寸法を示す目盛りを付しておいてもよい。ユーザが、イメージセンサ１２Ａの目盛りを参照して、スキャナ１Ａに縦サイズを設定入力すると、スキャナ１は、各種のサイズ規格情報を参照して横サイズを取得する。
【００３６】
以降は、上述の動作例と同様に、スキャナ１Ａは、有効エリアを設定し（Ｓ１３）、設定した有効エリアに対してスキャンを実行し（Ｓ１４）、スキャンデータを生成し、保存する（Ｓ１５）。なお、図３（ｃ）に示すように、スキャン実行の際にはイメージセンサ１２Ａは、フラットベッド１１の中央から有効エリアの左端まで移動し、そこからスキャンを開始する。そして有効エリアの右端までスキャンを行うと、スキャンを終了し、所定位置であるフラットベッド１１の左端にもどる。
【００３７】
以上のように本実施形態によると、スキャナ１，１Ａには、本５の見開き中央線の位置を合わせるためマーキング１３や位置合わせライン１４が設けられている。ユーザがフラットベッド１１上に見開き状態で本５を置くと、スキャナ１，１Ａは、本５の見開き位置を基準にして有効エリアを設定し、有効エリアにおけるスキャンデータを取得する。すなわち、見開き位置を基準にして決定された有効エリアについてスキャンデータが取得されるので、取得したスキャンデータに無駄がなくなり、ユーザにとって見やすいスキャンデータが得られるとともに、スキャンデータのデータサイズを小さく抑えることができる。
【００３８】
また、本実施形態では、スキャナ１，１Ａは、本５の縦サイズおよび横サイズを、サイズ規格情報を用いて取得し、取得した縦サイズおよび横サイズを用いて、本５の見開き中央線の位置を基準にして、有効エリアを決定する。これにより、適切な有効エリアを確実に決定することができる。
【００３９】
なお、上の実施形態では、本５の見開き中央線を合わせるための基準指標として、フラットベッド１１の縁に付したマーキング１３や、イメージセンサ１２Ａの位置合わせライン１４を用いるものとしたが、これらに限られるものではない。これ以外にも例えば、見開き本スキャン実行モードにおいて、本５を置く時に、イメージセンサ１２Ａからフラットベッド１１側にレーザー光を照射することによって、ラインやポイントを示すようにしてもよい。すなわち、本実施形態に係るスキャナは、本等の見開き中央線を合わせるための基準指標が設けられている、または、本等の見開き中央線を合わせるための基準指標をスキャンエリアに表示可能に構成されているのが好ましい。
【００４０】
（第２実施形態）
図４は第２実施形態に係るスキャナを利用したスキャン動作の概略を示すフローチャート、図５は本実施形態におけるスキャン動作の例を示す図である。本実施形態でも第１実施形態と同様に、図５に示すようなフラットベッド式のスキャナ２を用いて、見開き状態の本５のスキャンを行うものとする。本実施形態に係るスキャナ２は、図５（ａ）に示すように、スキャンエリアとなるフラットベッド２１と、データを読み取るためのイメージセンサ２２とを備えている。
【００４１】
図４および図５に従って、本実施形態におけるスキャン動作について説明する。まず、ユーザが、本５を見開いた状態で裏向きにフラットベッド２１の上に置く（Ｓ２１）。このとき、図５（ａ）に示すように、本５はフラットベッド２１上のどの位置においてもかまわない。
【００４２】
次に、スキャナ２は、例えばユーザの操作に従って、スキャンを実行する（Ｓ２２）。ここでのスキャンは、本５がフラットベッド２１上のどの位置に置かれているか分からないため、フラットベッド２１の全領域について行われる。このとき、フラットベッド２１のカバーは開けておくのが好ましい。これは後述するように、見開き状態の本５が占める矩形領域を画像処理によって検出する必要があるので、本５が置かれた領域とその他の領域との間に画像上大きな輝度差を生じさせることが好ましいからである。
【００４３】
以降の処理はスキャナ２が自動的に行う。まず、スキャナ２は、ステップＳ２２で取得した元データから、画像処理によって、フラットベッド２１上で見開き状態の本５が占める矩形領域を検出する（Ｓ２３）。例えば図５（ｂ）に示すように、元データにおいて、外枠領域と輝度レベルを共有していない範囲を本５が占める矩形領域５Ａとして検出する。矩形領域５Ａについて、次の４個の頂点（Ａ）〜（Ｄ）の座標が求められる。
（Ａ）：（Ｘｍａｘ，ｙ１）
（Ｂ）：（ｘ１，Ｙｍａｘ）
（Ｃ）：（ｘ２，Ｙｍｉｎ）
（Ｄ）：（Ｘｍｉｎ，ｙ２）
Ｘｍｉｎ，Ｘｍａｘはそれぞれ矩形領域５ＡのＸ座標の最小値と最大値、Ｙｍｉｎ，Ｙｍａｘはそれぞれ矩形領域５ＡのＹ座標の最小値と最大値、ｘ１，ｘ２，ｙ１，ｙ２は任意である。これら頂点（Ａ）〜（Ｄ）の座標から、見開き状態の本５が置かれた位置や傾き（回転角θ）を把握することができる。例えば、把握した回転角θを用いて、矩形領域５Ａを含む画像データの傾きを補正した上で、以降の画像処理を行ってもよい。
【００４４】
そして、スキャナ２は、４個の頂点（Ａ）〜（Ｄ）の座標から、本５の縦サイズを推定する（Ｓ２４）。縦サイズは、例えば次のような演算で推定される。
縦サイズ＝ｍｉｎ（α，β）
ｍｉｎ：最小値を選択する演算
α＝（（Ａ）（Ｃ）間距離＋（Ｂ）（Ｄ）間距離）／２
β＝（（Ａ）（Ｂ）間距離＋（Ｃ）（Ｄ）間距離）／２
このような方法によって、見開き状態の本５がフラットベッド２１のどこに置かれても、その縦サイズを自動的に推定することができる。なお、製本型媒体の場合、見開き状態で置かれた場合でもその縦サイズは基本的には変化しない。このため、上述したような画像処理によって、縦サイズを精度良く推定することができる。
【００４５】
また、スキャナ２は、矩形領域５Ａを含む画像データを用いて、本５の見開き中央線の位置を検出する（Ｓ２５）。例えば図５（ｃ）に示すように、矩形領域５Ａの画像をその周囲とともに切り出したとき、長辺には例えば扇状の凹部３１，３２が表れている。この凹部３１，３２は、本５の見開き部がフラットベッド２１の表面から浮いてしまうことに起因して生じる。そこで、凹部３１，３２の位置（例えば扇の要の位置）を検出し、これらを結ぶ直線を本５の中央線として推定すればよい。このとき、推定した中央線が矩形領域５Ａの短辺と平行であることを確認することによって、誤検出を防止することができる。あるいは、矩形領域５Ａの２本の短辺から等距離にある直線を、本５の中央線として検出してもかまわない。このような方法によって、本５の見開き中央線の位置を自動的に検出することができる。
【００４６】
また、スキャナ２は、ステップＳ２４で推定した縦サイズを基にして、各種のサイズ規格情報を参照して、本５の横サイズを推定する（Ｓ２６）。
【００４７】
そして、スキャナ２は、ステップＳ２４で推定した本５の縦サイズと、ステップＳ２６で推定した本５の横サイズを用いて、ステップＳ２５で検出した本５の見開き中央線の位置を基準にして、本５のうち必要な有効エリアを設定する（Ｓ２７）。すなわち、矩形領域５Ａにおいて、中央線の位置を基準にして、横方向においてそれぞれ、取得した横サイズ分の範囲を、有効エリアとして設定する。
【００４８】
そして、スキャナ２は、スキャンデータを取得する（Ｓ２８）。例えば、ステップＳ２２で得た元データから、ステップＳ２７で設定した有効エリアにおけるデータを切り出す。そして、そのデータを本５の見開き中央線の位置で２つに分割し、左右２ページのスキャンデータとしてそれぞれ保存する。あるいは、有効エリアから切り出したデータを、そのまま１ページのスキャンデータとして取得してもかまわない。
【００４９】
以上のように本実施形態によると、ユーザがフラットベッド２１上に見開き状態で本５を置くと、スキャナ２は、本５が占める矩形領域５Ａを画像処理によって検出し、この矩形領域５Ａの位置を基準にして、有効エリアを設定する。そして、有効エリアにおけるスキャンデータを取得する。このため、見開き位置を基準にして決定された有効エリアについてスキャンデータが取得されるので、取得したスキャンデータに無駄がなくなり、ユーザにとって見やすいスキャンデータが得られるとともに、スキャンデータのデータサイズを小さく抑えることができる。また本実施形態では、ユーザはフラットベッド２１上に本５を置き、スキャン実行操作を行うだけでよい。
【００５０】
また、スキャナ２は、検出した矩形領域５Ａから本５の縦サイズを推定し、本５の横サイズを、サイズ規格情報を用いて取得する。また、矩形領域５Ａから本５の見開き中央線の位置を検出する。そして取得した縦サイズおよび横サイズを用いて、本５の見開き中央線の位置を基準にして、有効エリアを設定する。これにより、適切な有効エリアを確実に決定することができる。
【００５１】
なお、本実施形態では、フラットベッド２１の全領域についてスキャンを実行してから、設定した有効エリアのスキャンデータを取得するものとしたが、例えば、本５が占める矩形領域５Ａの検出を先に行い、有効エリアを設定してから、この有効エリアについてスキャンを実行するようにしてもかまわない。
【００５２】
（他の実施形態）
第１実施形態では、ユーザが本５の位置を基準指標に合わせて設定し、縦サイズに関する情報を入力するものとし、第２実施形態では、スキャナ２が本５の縦サイズや中央線位置を自動検出するものとしたが、これらを組み合わせて実行してもかまわない。例えば、第１実施形態の他の動作例において、イメージセンサ１２Ａによって本５の縦サイズを自動的に検出するようにしてもかまわない。あるいは、第２実施形態において、ユーザが本５の縦サイズに関する情報をスキャナ２に入力するようにしてもかまわない。
【００５３】
また、上述の各実施形態において、有効エリアは、取得した縦サイズおよび横サイズに正確に合わせて設定する必要はなく、例えば、多少のマージンを持たせて設定してもかまわない。
【００５４】
図６は上述の各実施形態に係るスキャナの機能ブロック図である。図６に示すように、スキャナ１，１Ａ，２は、フラットベッド１１，２１と、イメージセンサ１２，１２Ａ，２２と、ＣＰＵ５０と、記録部５５とを備えている。ＣＰＵ５０は、例えば所定のプログラムを実行することによって、見開き位置取得部５１と、有効エリア決定部５２と、データ取得部５３として機能する。見開き位置取得部５１は、フラットベッド１１，２１に見開き状態で置かれた対象媒体５について見開き位置を取得する。有効エリア決定部５２は、見開き位置取得部５１によって取得された見開き位置を基準にして、対象媒体５のうち必要な有効エリアを決定する。データ取得部５３は、有効エリア決定部５２によって決定された有効エリアにおける対象媒体５のスキャンデータを取得する。
【００５５】
第１実施形態では、見開き位置取得部５１は、スキャナ１に付された基準指標が示す位置を見開き位置として取得し、有効エリア決定部５２は、ステップＳ１２，Ｓ１３を実行し、データ取得部５３は、ステップＳ１４，Ｓ１５を実行する。第２実施形態では、見開き位置取得部５１は、ステップＳ２３を実行し、有効エリア決定部５２は、ステップＳ２４〜Ｓ２７を実行し、データ取得部５３はステップＳ２２，Ｓ２８を実行する。また、記録部５５は、有効エリアにおけるスキャンデータを記録する。例えば記録部５５には、対象媒体５の見開き中央線の位置で２つに分割された左右２ページのスキャンデータが、それぞれ保存される。
【００５６】
また、上述の各実施形態では、スキャナ単体でスキャン動作を行うものとしたが、この他にも例えば、ＰＣ等に接続したスキャナを用いて、上述したようなスキャン動作を行ってもよい。この場合には、各実施形態で説明した操作入力や画像処理等は、スキャナで実行してもよいし、ＰＣ等によって実行してもかまわない。
【００５７】
また、上述の各実施形態では、フラットベッド型のスキャナを例に挙げて説明を行ったが、これ以外のタイプのスキャナを用いて、上述したようなスキャン動作を行ってもよい。例えば、オーバーヘッド型スキャナを用いてもかまわない。この場合例えば、第１実施形態において、本の見開き中央線の位置を合わせるための基準指標として、スキャナ本体からレーザー光によってスキャンエリア内にラインやポイントなどを示すようにしてもよい。
【００５８】
あるいは、カメラが搭載された携帯端末などをスキャナとして用いてもかまわない。この場合例えば、第２実施形態では、本５が占める矩形領域が、スキャンエリアに対する携帯端末の傾きによって、画像上、台形に変形してしまう可能性がある。このため、この台形領域を矩形に変形する画像処理を行った上で、上述したような処理を行うようにすればよい。
【００５９】
すなわち、上述の各実施形態で説明したスキャン方法は、スキャン機能を有する電子機器、または、スキャン機能を有する電子機器と通信可能なコンピュータによって、実行可能である。
【００６０】
また、上述の各実施形態では、本５のスキャンを行うものとして説明を行ったが、本は製本型媒体の一例であり、その他にも例えば、雑誌、ノート、パンフレットなどのスキャンにも本発明は適用可能である。また、その他、バインダーに閉じられた文書などのスキャンにも、本発明は適用可能である。
【産業上の利用可能性】
【００６１】
本発明は、見開き状態の媒体をスキャンするスキャナについて、スキャンデータの見易さ向上と、データサイズの抑制に有用である。
【符号の説明】
【００６２】
１，１Ａ，２  スキャナ
５  本（対象媒体）
５Ａ  矩形領域
１１，２１  フラットベッド（スキャンエリア）
１２，１２Ａ，２２  イメージセンサ
１３  マーキング（基準指標）
１４  位置合わせライン（基準指標）
３１，３２  凹部
５１  見開き位置取得部
５２  有効エリア決定部
５３  データ取得部
５５  記録部
【図１】
2016082314.tif 000003
【図２】
2016082314.tif 000004
【図３】
2016082314.tif 000005
【図４】
2016082314.tif 000006
【図５】
2016082314.tif 000007
【図６】
2016082314.tif 000008